(57)【要約】【課題】  ベッドの起き上がり角度を容易かつ正確に調整することができるようなベッド起き上がり角度視示器を提供すること。【解決手段】  本発明にかかる角度視示器１０は、ベッドの起き上がり角度を視示する角度視示器である。そして、角度が表示された角度表示板１と、角度表示板１に対して回動自在に軸支され、鉛直方向を指した状態を維持することにより、少なくとも一部が角度表示板１に表示された角度を指し示す角度視示部材２と、角度表示板１をベッドに取り付ける取付部材３とを備えたものである。【選択図】  図１
2005028035.tif 000002
【特許請求の範囲】
【請求項１】
ベッドの起き上がり角度を視示する角度視示器であって、
角度が表示された角度表示板と、
前記角度表示板に対して回動自在に軸支され、鉛直方向を指した状態を維持することにより、少なくとも一部が前記角度表示板に表示された角度を指し示す角度視示部材と、
前記角度表示板を前記ベッドに取り付ける取付部材とを備えた角度視示器。
【請求項２】
前記角度表示板に対して取り外し可能に取り付けられ、用途が表示された複数の用途別角度指定部材を備えたことを特徴とする前記角度視示器。
【請求項３】
前記角度表示板の一部にペンにより用途を書き込み可能な用途記入部を備えたことを特徴とする請求項１記載の角度視示器。
【請求項４】
ベッドの起き上がり角度を視示する角度視示器であって、
用途が表示された複数の用途別角度指定部材と、
前記用途別角度指定部材が磁力により取り付けられる角度表示板と、
前記角度表示板に対して回動自在に軸支され、鉛直方向を指した状態を維持することにより、少なくとも一部が前記表示板に表示された角度を指し示す角度視示部材と、
前記角度表示板を前記ベッドに取り付ける取り付け部材とを備えた角度視示器。
【請求項５】
前記取付部材は、前記角度表示板の主面に対して略垂直になるように突出した板状部材であることを特徴とする請求項１乃至４いずれかに記載の角度視示器。
【発明の詳細な説明】
【技術分野】
【０００１】
本発明は、リクライニング機構を有するベッドに取り付けられ、ベッドの起き上がり角度を表示するベッド起き上がり角度視示器に関する。
【背景技術】
【０００２】
医療用や介護用のベッドは、患者や被介護人がベッド上で食事をしたり、治療を受けたりするために、上半身が起き上がるようなリクライニング機構を備えている。図６に従来のリクライニング機構を有するベッドの側面図を示す。このベッドは、座部１０１と、座部１０１の後部に軸支された背板１０２と、この背板１０２と台１０４との間に設けられ、当該背板１０２を起き上がらせるリクライニング機構１０３を備えている。図６に示された機構以外にもハンドルを回転させることにより、座部１０１と背板１０２を任意の角度に保つことができるベッドもある。また、リクライニング機構は、手動式以外にも電動式もある。例えば、特許文献１にリクライニング機構を有するベッドが開示されている。
【０００３】
【特許文献１】特開２００１−１４８６２５号公報
【発明の開示】
【発明が解決しようとする課題】
【０００４】
患者や被介護者にとっては、治療や食事等のそれぞれの動作に適した姿勢があるため、動作を変える都度、座部と背板の角度、即ちベッドの起き上がり角度を調整する必要がある。しかしながら、人間の感覚には個人差があり、特に角度に対する個人差は大きい。そのため、ベッドの起き上がり角度を目視により所定の角度に合わせることは、極めて難しい。例えば、ベッドを３０度位に起こした場合でも、見た目には４０度から６０度の角度に感じてしまう。また、ベッドを３０度に起こすように視示され、ベッドを起こした場合でも、目視によりベッドを起こしてみると１５度から２０度程度の角度になってしまう。
【０００５】
看護人や介護人によって、角度に対する感覚に差異があるため、ベッドの起き上がり角度の調整にばらつきが生じてしまい、その度に、患者や被介護人は適切な治療が受けられなかったり、食事の際に食べづらかったりする。
【０００６】
このとき、ベッドに予め起き上がり角度の表示機能を設けることも考えられるが、利用者は新たにベッドを購入しなければならず、利用者の負担が大きい。特に、患者や被介護者にとっては、その負担増は耐え難い。
【０００７】
本発明は、このような課題を解決するためになされたものであり、ベッドの起き上がり角度を容易かつ正確に調整することができるようなベッド起き上がり角度視示器を提供することを目的とする。
【課題を解決するための手段】
【０００８】
本発明にかかる角度視示器は、ベッドの起き上がり角度を視示する角度視示器であって、角度が表示された角度表示板と、前記角度表示板に対して回動自在に軸支され、鉛直方向を指した状態を維持することにより、少なくとも一部が前記角度表示板に表示された角度を指し示す角度視示部材と、前記角度表示板を前記ベッドに取り付ける取付部材とを備えたものである。
【０００９】
さらに、前記角度表示板に対して取り外し可能に取り付けられ、用途が表示された複数の用途別角度指定部材を備えるようにしてもよい。
【００１０】
また、前記角度表示板の一部にペンにより用途を書き込み可能な用途記入部を備えるようにしてもよい。
【００１１】
本発明にかかる他の角度視示器は、ベッドの起き上がり角度を視示する角度視示器であって、用途が表示された複数の用途別角度指定部材と、前記用途別角度指定部材が磁力により取り付けられる角度表示板と、前記角度表示板に対して回動自在に軸支され、鉛直方向を指した状態を維持することにより、少なくとも一部が前記表示板に表示された角度を指し示す角度視示部材と、前記角度表示板を前記ベッドに取り付ける取り付け部材とを備えたものである。
【００１２】
ここで、前記取付部材は、前記角度表示板の主面に対して略垂直になるように突出した板状部材であることが望ましい。
【発明の効果】
【００１３】
本発明によれば、ベッドの起き上がり角度を容易かつ正確に調整することができる。
【発明を実施するための最良の形態】
【００１４】
発明の実施の形態１．
図１に本発明にかかるベッド起き上がり角度視示器（以下、角度視示器とする）の構成例を示す。当該角度視示器１０は、ベッドとは別体に構成され、使用時にベッドの背板の側部に取り付けられる。角度視示器１０は、角度表示板１、角度視示部材２、取付部材３を備えている。
【００１５】
角度表示板１は、例えば、半円状の形状を有する板部材であり、例えば、白色のアクリル板により形成される。半円状の外周領域には、角度が表示されている。この例では、０度、１０度、２０度、３０度の角度が表示されているが、さらに、４０度、５０度、６０度・・・と９０度まで表示するようにしてもよく、また、１０度刻みでなくとも、１５度刻み、２０度刻み等任意の角度を表示するようにしてもよい。この例では、それぞれの角度表示と角度視示部材２が軸支された位置を直線状に結ぶ線分を表示している。そして、１０度刻みに実線を表示し、その間の中心、即ち５度ずれたところに点線を表示しているが、実線と点線の組合せに限らず、色を変えて表示してもよい。さらに、０度から１０度までを赤色、１０度から２０度までを青色等、角度に応じた領域毎に異なる色を付すようにすることも可能である。尚、角度表示板１は、必ずしも一体的に構成されている必要はなく、２以上の部材の組み合わせにより構成されていてもよい。
【００１６】
角度視示部材２は、軸支部材２１、回動部材２２と先端部材２３により構成される。回動部材２２は、例えば、角度表示板１と異なる色のアクリル板により形成される。図１に示す例では、当該回動部材２２は、透明又は半透明のアクリル板により形成されている。このため、角度表示板１が透けて見える。そして、回動部材２２には中央線が印刷されているため、中央線と角度表示板１上の線分の位置関係を確認することにより、角度を正確に把握することができる。この棒状部材２は、糸や針金等の線状部材により構成されていてもよい。回動部材２２の一端部は、軸支部材２１によって回動可能に角度表示板１の上部に固定されている。軸支部材２１は、ピンやネジにより構成され、回動部材２２に設けられた孔に挿入される。また、回動部材２２の他端部には、先端部材２３が接着剤等により固定されている。
【００１７】
先端部材２３は、視認しやすい色を有するアクリル板等のプラスチックや被覆加工された金属等により形成されている。先端部材２３の先端は鋭角に加工されており、より正確に角度を視示することができる。当該先端部材２３は、好ましくは、角度視示部材２の他の部分よりも重い部材により形成される。尚、先端部材２３は、回動部材２２と同じ材料により一体的に形成されていてもよい。
【００１８】
このように構成されているため、先端部材２３の重さにより、角度視示部材２は鉛直方向へ回動する。例えば、角度表示板１がベッドの起き上がり動作に応じて傾斜しても、角度表示板１と角度視示部材２は回動可能に固定されているため、角度視示部材２は鉛直方向を指した状態を維持する。
【００１９】
取付部材３は、角度表示板１の上端において、当該角度表示板１の主面に対して垂直方向に突出した板状部材であり、ベッドに取り付けた状態において角度表示板１の主面と取付部材３の主面とがほぼ垂直になる。例えば、アクリル板等のプラスチックにより形成されている。当該取付部材３は、角度視示器１０をベッドに取り付けられるために設けられている。図１に示す例では、取付部材３にネジ５が通る穴が設けられている。従って、ネジ５をベッドの枠体に取り付けることにより、取付部材３をベッドに固定することができ、そして、角度視示器１０をベッドに固定することが可能となる。また、取付部材３をマグネット等の磁性体によりその全体又は一部を形成するようにしてもよい。これにより、磁力により角度視示器１０をベッドの枠体の固定することが可能となる。さらに、取付部材３を両面テープによりベッドの枠体に固定するようにしてもよい。
【００２０】
図１に示す角度視示器１０は、角度表示板１の主面がベッドの側部の長手方向に対して平行となるように、ベッドに対して取り付けられる。ベッドに取り付けられた状態において、取付部材３の主面は、ベッドの主面、即ち、患者や被介護人が寝る面と平行となる。そして、取り付けられたベッドがリクライニング機構により傾斜すると、その傾斜に伴って、角度視示器１０は、角度表示板１の主面と平行な面上で回転することになる。しかしながら、角度視示部材２は、回動自在に角度表示板１と固定され、そして、角度視示部材２の先端部材２３は一定の重さを有するため、鉛直方向を指した状態を維持する。従って、角度表示板１と角度視示部材２の相対的な位置関係がベッドの傾斜に応じて変化することになる。このとき、角度表示板１には、角度視示部材２がベッドの角度を示すような表示１１が設けられている。例えば、ベッドが１０度傾斜した場合には、当該角度視示部材２は１０度と表示された位置を指す。図２に示されるようにベッドが２０度傾斜した場合には、当該角度視示部材２は２０度と表示された位置を指す。そのため、角度視示部材２が表示１１のいずれの角度を指し示しているかを目視により確認すればベッドの起き上がり角度を容易に把握することができる。
【００２１】
このように、本発明の実施の形態１によれば、ベッドの傾斜角度を正確に表示することができるため、ベッドの起き上がり角度を容易かつ正確に調整することができる。また、本発明の実施の形態１にかかる角度視示器１０は、ベッド自体の構造を変更することなく既存のベッドに取り付けることができるため、ベッド自体に角度表示機能を持たせる場合に比べて、利用者はベッドを再購入する必要がなく、負担が少ない。
【００２２】
発明の実施の形態２．
発明の実施の形態２にかかる角度表示器１０は、図３に示されるように、貼付部１２と、当該貼付部１２上に磁力により取り付けられる用途別角度指定部材６を備えている。その他の構成については、発明の実施の形態１にかかる角度表示器１０と同様であるため説明を省略する。
【００２３】
貼付部１２は、金属等により構成されているが、板状マグネットにより構成してもよい。貼付部１２は、角度表示板１の円周の一定幅に亘って設けられている。
【００２４】
用途別角度指定部材６は、予め就寝、点滴・注射、食事、面会、テレビ等の文字が印刷、記入されており、好適には板状マグネットにより構成される。そして、用途別角度指定部材６は、貼付部１２に磁力により貼り付けられることにより、それぞれの用途に最適な角度位置を指定することができる。例えば、就寝の場合には、ベッドの起き上がり角度は殆どゼロでよいから、就寝と表示した用途別角度指定部材６１は、ゼロの位置に取り付けられる。また、面会の場合には、面会者と会話を行う必要性等から、面会と表示した用途別角度指定部材６４は、ベッドの起き上がり角度が大きくなるような位置に取り付けられる。ここで、用途別角度指定部材６４は、先端部材２３の頂点と略接する位置にその頂点がくるような鋭角形状を有しているため、より正確に位置合わせを行なうことができる。
【００２５】
このように、本発明の実施の形態２にかかる角度表示器では、用途に応じた最適なベッドの起き上がり角度を指定する用途別角度指定部材を取り外し可能に設けたため、ベッドを、用途に応じて最適な起き上がり角度に容易に調整することができる。
【００２６】
尚、本発明の実施の形態２における角度視示器は、発明の実施の形態１と同様に角度表示板に角度が表示されていてもよく、表示されていなくてもよい。
【００２７】
発明の実施の形態３．
発明の実施の形態３にかかる角度表示器は、角度表示板１０に用途記入部１３を有することを特徴とする。その他の構成については、発明の実施の形態１にかかる角度表示器１０と同様であるため説明を省略する。
【００２８】
用途記入部１３は、角度表示板１の円周の一定幅に亘って設けられている。この用途記入部は、例えばホワイトボードで用いられるようなスチール複合板、クリーンスチール、ホワイト鋼板、マグネクリーンシート、ホワイトボード塩ビ板、ホワイトボードシート、ホワイトシート等により構成される。
【００２９】
この用途記入部１３に水性マーカ１４等の消去・修正可能な筆記部材により用途を書き込む。
【００３０】
このように、本発明の実施の形態３にかかる角度表示器では、用途に応じた最適なベッドの起き上がり角度を記入することができるため、ベッドを、用途に応じて最適な起き上がり角度に容易に調整することができる。
尚、本発明の実施の形態３における角度視示器は、発明の実施の形態１と同様に角度表示板に角度が表示されていてもよく、表示されていなくてもよい。
【００３１】
発明の実施の形態４．
発明の実施の形態４にかかる角度表示器では、図５に示されるように、取付部材３が背板１０２の下面に固定されている点を特徴とする。そのため、取付部材３は、他のリクライニング機構やフレームと接触することがない。この例では、取付部材３は両面テープにより背板１０２に固定されている。その他の構成については、発明の実施の形態１にかかる角度表示器１０と同様であるため説明を省略する。
【００３２】
このように、本発明の実施の形態４にかかる角度表示器では、取付部材３を背板１０２の下面に固定しているため、他のベッドの部材との接触を防止できる。
【図面の簡単な説明】
【００３３】
【図１】発明の実施の形態１にかかる角度視示器を示す正面図及び側面図である。
【図２】ベッドが傾斜した状態における角度視示器を示す正面図である。
【図３】発明の実施の形態２にかかる角度視示器を示す正面図である。
【図４】発明の実施の形態３にかかる角度視示器を示す正面図である。
【図５】発明の実施の形態４にかかる角度視示器を示す側面図である。
【図６】リクライニング機構を有するベッドの構造を示す側面図である。
【符号の説明】
【００３４】
１  角度表示板
２  角度視示部材
３  取付部材
【図１】
2005028035.tif 000003
【図２】
2005028035.tif 000004
【図３】
2005028035.tif 000005
【図４】
2005028035.tif 000006
【図５】
2005028035.tif 000007
【図６】
2005028035.tif 000008